(57)【要約】【課題】加振アダプターで発生した振動をマスカラ塗布具に効果的に伝動して、マスカラ液をまつ毛に短時間で効果的に塗布でき、しかもマスカラ化粧具の全体コストを節約し、省エネルギー上の無駄を省くことができるマスカラ塗布具用の加振アダプターを提供する。【解決手段】本体部１１と、取付構造と、加振構造とを備えている。加振構造は、電源部１２と、電源部１２から送給される電流で振動を発生する振動モーター１４と、スイッチ１６とを備えている。取付構造は、マスカラ塗布具２の摘み部４の周面に係合する連結部２３を備えている。連結部２３の内面の抱持面２４に、摘み部４の形状に適合して変形して、本体部１１を摘み部４の外面に固定する連結調整体２５を設ける。【選択図】図１
2010246854.tif 000002
【特許請求の範囲】
【請求項１】
摘み部（４）に固定した軸体（５）の突端にアプリケーター（６）が設けてあるマスカラ塗布具（２）に適用される加振アダプターであって、
本体部（１１）と、本体部（１１）に設けられる取付構造と、本体部（１１）に装着されて振動を発生する加振構造とを備えており、
加振構造は、電源部（１２）と、電源部（１２）から送給される電流で振動を発生する振動発生手段（１４）と、振動発生手段（１４）の通電状態を切り換えるスイッチ（１６）とを備えており、
本体部（１１）が、取付構造を介して摘み部（４）の外面に着脱可能に固定してあるマスカラ塗布具用の加振アダプター。
【請求項２】
取付構造が、マスカラ塗布具（２）の摘み部（４）の周面に係合する連結部（２３）を備えており、
連結部（２３）の内面の抱持面（２４）に、摘み部（４）の形状に適合して変形して本体部（１１）を摘み部（４）の外面に固定する連結調整体（２５）が設けてある請求項１に記載のマスカラ塗布具用の加振アダプター。
【請求項３】
連結調整体（２５）が弾性変形可能な弾性体で構成してある請求項２に記載のマスカラ塗布具用の加振アダプター。
【請求項４】
連結調整体（２５）が、リング状ないし筒状に形成してある請求項２または３に記載のマスカラ塗布具用の加振アダプター。
【請求項５】
取付構造が、マスカラ塗布具（２）の摘み部４の外面に固定される連結部（２３）を備えており、
連結部（２３）は、摘み部（４）の対向周面を挟み保持する一対の挟持アーム（３３・３４）を備えており、
両挟持アーム（３３・３４）の少なくとも一方が摘み部（４）の構造および形状に適合して姿勢変更して、本体部（１１）を摘み部（４）の外面に固定している請求項１に記載のマスカラ塗布具用の加振アダプター。
【請求項６】
両挟持アーム（３３・３４）の少なくとも一方が、本体部（１１）に揺動開閉可能に軸支されて、挟持ばね（３６）で閉じ勝手に付勢してあり、
両挟持アーム（３３・３４）で摘み部（４）を挟持して、本体部（１１）が摘み部（４）に固定してある請求項５に記載のマスカラ塗布具用の加振アダプター。
【請求項７】
本体部（１１）に固定側挟持アーム（３３）が設けられて、可動側挟持アーム（３４）が固定側挟持アーム（３３）に対して接離可能に設けられており、
本体部（１１）および固定側の挟持アーム（３３）と可動側の挟持アームとの間に、可動側の挟持アーム（３４）を接離操作する挟持ねじ（９３）が配置されており、
両挟持アーム（３３・３４）で摘み部（４）を挟持して、本体部（１１）が摘み部（４）に固定してある請求項５に記載のマスカラ塗布具用の加振アダプター。
【請求項８】
取付構造が、マスカラ塗布具（２）の摘み部（４）の外面に固定される連結部（２３）を備えており、
連結部（２３）が、摘み部（４）に外嵌する支持筒（５１）と、支持筒（５１）の内面の抱持面（２４）に設けられる連結調整体（２５）とを含み、
連結調整体（２５）が摘み部（４）の形状に適合して変形して、本体部（１１）を摘み部（４）の外面に固定する請求項１に記載のマスカラ塗布具用の加振アダプター。
【請求項９】
取付構造が、マスカラ塗布具（２）の摘み部（４）の外面に固定される連結部（２３）を備えており、
連結部（２３）が、摘み部（４）に固定される第１連結体（５７）と、本体部（１１）に固定されて第１連結体（５７）に対して着脱される第２連結体（５８）とで構成されており、
第１連結体（５７）と第２連結体（５８）とが、雌雄一対の面ファスナーで構成してある請求項１に記載のマスカラ塗布具用の加振アダプター。
【請求項１０】
取付構造が、マスカラ塗布具（２）の摘み部（４）の外面に固定される連結部（２３）を備えており、
連結部（２３）が、摘み部（４）の周面を受け止める連結枠（６４）と、連結枠（６４）にねじ込み装着される挟持ねじ（６５）とで構成されて、
本体部（１１）は、連結枠（６４）と挟持ねじ（６５）のいずれかに固定されており、
連結枠（６４）と挟持ねじ（６５）とで摘み部（４）を挟持して、本体部（１１）が摘み部（４）と一体化してある請求項１に記載のマスカラ塗布具用の加振アダプター。
【請求項１１】
取付構造が、マスカラ塗布具（２）の摘み部（４）の外面に固定される連結部（２３）を備えており、
連結部（２３）が、一端が本体部（１１）に固定される弾性変形可能なクリップ（７３）で形成されており、
内面に雌ねじ（７）が形成してある摘み部（４）の筒壁（７５）にクリップ（７３）を係合して、本体部（１１）が摘み部（４）と一体化してある請求項１に記載のマスカラ塗布具用の加振アダプター。
【請求項１２】
軸体（５）に外接する伝動片（７６）がクリップ（７３）と一体に設けられており、
本体部（１１）で生成した振動を伝動片（７６）を介して軸体（５）に伝動する請求項１１に記載のマスカラ塗布具用の加振アダプター。
【請求項１３】
取付構造が、マスカラ塗布具（２）の摘み部（４）の外面に固定される連結部（２３）を備えており、
連結部（２３）が、一端が本体部（１１）に固定してある渦巻状の弾性変形可能な巻掛体（７８）で形成されており、
巻掛体（７８）が、金属ばねからなる芯材（７９）と、芯材（７９）の外面を被覆する保護層（８０）とで構成してある請求項１に記載のマスカラ塗布具用の加振アダプター。
【請求項１４】
取付構造が、マスカラ塗布具（２）の摘み部（４）の外面に固定される連結部（２３）を備えており、
連結部（２３）が、それぞれ一端が本体部（１１）に固定されて、摘み部（４）の周面に巻き付け可能な帯状の第１・第２の連結体（５７・５８）で構成されており、
両連結体（５７・５８）の重合部分に、巻き付け姿勢を保持する重合部固定構造が設けてある請求項１に記載のマスカラ塗布具用の加振アダプター。
【請求項１５】
重合部固定構造が、雌雄一対の面ファスナー（８１・８２）で構成してある請求項１４に記載のマスカラ塗布具用の加振アダプター。
【請求項１６】
重合部固定構造が、第１・第２の連結体（５７・５８）の一方の連結体（５７）に開口される複数の連結穴（８５）と、他方の連結体（５８）に設けられる連結突起（８４）とで構成してある請求項１４に記載のマスカラ塗布具用の加振アダプター。
【請求項１７】
取付構造が、マスカラ塗布具（２）の摘み部（４）の外面に固定される連結部（２３）を備えており、
連結部（２３）が、一端が本体部（１１）に固定されて、摘み部（４）の周面に巻き付け可能な帯状体（８７）で構成されており、
摘み部（４）の周面に巻き付けた帯状体（８７）の遊端を、本体部（１１）に設けた巻締具（８８）で巻き締めて、本体部（１１）が摘み部（４）の周面に固定してある請求項１に記載のマスカラ塗布具用の加振アダプター。
【請求項１８】
取付構造が、マスカラ塗布具（２）の摘み部（４）の外面に固定される連結部（２３）を備えており、
連結部（２３）が、一端が本体部（１１）に固定されて、摘み部（４）の周面に巻き付け可能な帯状体（８７）で構成されており、
帯状体（８７）は、本体部（１１）に設けた反転枠（９１）で反転案内されて、摘み部（４）の周面に巻き付けた帯状体（８７）の外面に重合されており、
帯状体（８７）の重合部分が着脱可能なファスナー（８１・８２）で固定してある請求項１に記載のマスカラ塗布具用の加振アダプター。
【請求項１９】
取付構造が、指輪状の連結部（２３）を備えており、
連結部（２３）の外周面に、マスカラ塗布具（２）の摘み部（４）の外面に外接する伝動部（９５）が設けられてある請求項１に記載のマスカラ塗布具用の加振アダプター。
【請求項２０】
前記伝動部（９５）に隣接してスイッチ（１６）が配置してある請求項１９に記載のマスカラ塗布具用の加振アダプター。
【請求項２１】
取付構造が、マスカラ塗布具（２）の摘み部（４）の外面に固定される連結部（２３）を備えており、
連結部（２３）が、弾性変形可能なリング枠（７０）で形成されており、
摘み部（４）の周面に外嵌したリング枠（７０）の弾性係合力で、本体部（１１）が摘み部（４）と一体化してある請求項１に記載のマスカラ塗布具用の加振アダプター。
【請求項２２】
取付構造が、マスカラ塗布具（２）の摘み部（４）の外面に固定される連結部（２３）を備えており、
連結部（２３）が、摘み部（４）に外嵌固定される第１連結体（５７）と、第１連結体（５７）を往復スライド可能に支持する第２連結体（５８）とで構成されて、第２連結体（５８）に本体部（１１）が設けられており、
第１連結体（５７）と第２連結体（５８）との間に、第１連結体（５７）を往復駆動する振動発生手段（１４）が配置してある請求項１に記載のマスカラ塗布具用の加振アダプター。
【請求項２３】
内部に加振構造が配置してある本体部（１１）の高さ寸法（Ｈ１）が、取付構造の高さ寸法（Ｈ２）より小さく設定してある請求項１から２２のいずれかひとつに記載のマスカラ塗布具用の加振アダプター。
【請求項２４】
本体部（１１）の上面および左右側面のいずれかにスイッチ（１６）が配置してある請求項１から２３のいずれかひとつに記載のマスカラ塗布具用の加振アダプター。
【請求項２５】
本体部（１１）の上面にスイッチ（１６）が配置してある請求項２４に記載のマスカラ塗布具用の加振アダプター。
【請求項２６】
本体部（１１）の左右側面のそれぞれに指受凹面（３８）が形成してある請求項１から２５のいずれかひとつに記載のマスカラ塗布具用の加振アダプター。
【請求項２７】
本体部（１１）の上面に指受部（２０）が形成してある請求項１から２７のいずれかひとつに記載のマスカラ塗布具用の加振アダプター。
【請求項２８】
本体部（１１）が裁頭円錐台状に形成してある請求項１から２７のいずれかひとつ記載のマスカラ塗布具用の加振アダプター。
【請求項２９】
本体部（１１）に、振動モーター（１４）と電池（１２）とが重さなる状態で組み込まれており、
振動出力方向が、振動モーター（１４）と電池（１２）とが重畳する向きと直交する向きである場合の振動モーター（１４）が、取付構造から遠ざかる本体部（１１）に配置してある請求項１から２８のいずれかひとつに記載のマスカラ塗布具用の加振アダプター。
【請求項３０】
本体部（１１）に、振動モーター（１４）と電池（１２）とが重さなる状態で組み込まれており、
振動出力方向が、振動モーター（１４）と電池（１２）とが重畳する向きと同じ向きである場合の振動モーター（１４）が、取付構造に近接する本体部（１１）に配置してある請求項１から２８のいずれかひとつに記載のマスカラ塗布具用の加振アダプター。
【請求項３１】
本体部（１１）に、まつ毛を照明する光源（１９）が設けてある請求項１から３０のいずれかひとつに記載のマスカラ塗布具用の加振アダプター。
【請求項３２】
本体部（１１）が連結部（２３）で第１使用姿勢と、第２使用姿勢とに姿勢変更可能に支持されており、
本体部（１１）を第１使用姿勢で摘み部（４）に装着した状態では、軸体（５）の中心軸と平行な方向の振動を出力でき、
本体部（１１）を第２使用姿勢で摘み部（４）に装着した状態では、軸体（５）の中心軸と直交する方向の振動を出力できる請求項１から３１のいずれかに記載のマスカラ塗布具用の加振アダプター。
【請求項３３】
本体部（１１）および連結部（２３）に、２次電池（１２）と、振動モーター（１４）と、スイッチ（１６）と、受振コイル（１０６）と、整流回路とが設けられており、
充電器に設けた加振アダプター用の装填部（１０４）に、前記受振コイル（１０６）に対応する発振コイル（１０５）が設けてあるマスカラ塗布具の加振アダプター用の充電器。
【発明の詳細な説明】
【技術分野】
【０００１】
本発明は、まつ毛にマスカラ液を塗布する際にマスカラ塗布具を振動させるための加振アダプターに関する。
【背景技術】
【０００２】
本発明に関し、マスカラ液をまつ毛に塗布するマスカラ化粧具は、例えば特許文献１に公知である。そこでは、マスカラ液を収容する容器本体のキャップ（摘み部）にマスカラブラシを固定し、キャップを容器本体に装着した状態において、マスカラブラシにマスカラ液を含浸できる。使用者は、適量のマスカラ液を含むブラシでまつ毛を繰り返し梳き流して、マスカラ液をまつ毛に塗布し、同時にまつ毛を束状にならないように分離させる。
【０００３】
本発明においては、マスカラブラシに振動を与えてマスカラ液の塗布を促進するが、このように振動発生手段を備えている美容装置は特許文献２に公知である。そこでは、グリップを兼ねる装置本体の内部に振動モーターと電池を収容し、装置本体の周面一部に起動スイッチを設けている。また、先すぼまり状に形成された装置本体の上端部には、美容液を含浸できるチップが装着してある。使用時には、美容液が含浸されたチップを肌面に押し付けた状態で振動モーターを駆動することにより、チップを振動させて美容液の浸透を促進できる。
【０００４】
本発明の加振アダプターに関して、特許文献３の歯ブラシアダプターが公知である。そこでは、ケースの内部に振動モーターと電池を収容し、ケースの外面に歯ブラシを差し込み装着するための装着部分を設けている。使用時には、振動モーターの振動をケースを介して歯ブラシに伝動する。
【先行技術文献】
【特許文献】
【０００５】
【特許文献１】特開２００８−０４９００８号公報（段落番号００１１、図１）
【特許文献２】特開２００３−２０５００８号公報（段落番号００２３、図３）
【特許文献３】特開２００２−２４８１１８号公報（段落番号０００６、図４）
【発明の概要】
【発明が解決しようとする課題】
【０００６】
特許文献１のマスカラ塗布具は、まつ毛をブラシで繰り返し梳き流しながら、マスカラ液をまつ毛に塗布させる必要がある。しかし、一連の作業に繊細なブラシ操作が不可欠であるため、まつ毛の化粧に多くの手間と時間が掛かる。まつ毛の生えている部位によってブラシの使い方が大きく異なることも、まつ毛の化粧に手間が掛かる原因のひとつであり、まつ毛の仕上がり状態に個人差を生じやすい。
【０００７】
例えば、マスカラ塗布具に特許文献２のような加振構造を付加すると、ブラシを振動させてマスカラ液をまつ毛に効果的に塗布でき、したがって、少なくともまつ毛の化粧をより短い時間で効果的に行なえるであろう。しかし、その場合には、容器本体に収容したマスカラ液を使い切るごとに、加振構造を含むマスカラ塗布具を廃棄することになり、省エネルギーの観点から大きな無駄がある。また、個々のマスカラ液塗布具に加振構造を組み込むので、塗布具の全体コストが高く付くのを避けられない。
【０００８】
その点、特許文献３のような加振アダプターにマスカラ塗布具を装着すると、マスカラ液を使い切ったとしても、繰り返し加振アダプターを使用できるので全体コストを節約でき、さらに省エネルギー上の無駄を省くことができる。しかし、特許文献３の加振アダプターでは、ケースの外面に歯ブラシの柄を差し込んでケースと一体化するので、キャップと一体化してあるマスカラブラシを、いかにしてケースに装着するかが問題となる。マスカラブラシや、同ブラシを支持するキャップの形状や構造は、メーカーによってまちまちであり、歯ブラシほど形状が統一されていないからである。
【０００９】
本発明の目的は、マスカラ塗布具を振動させて、マスカラ液をまつ毛に効果的に塗布でき、したがってまつ毛の化粧を短時間で能率よく行なえ、しかもマスカラ化粧具の全体コストを節約し、さらに省エネルギー上の無駄を省くことができるマスカラ塗布具用の加振アダプターを提供することにある。
本発明の目的は、形状や構造が多様に異なるマスカラ塗布具に対して加振アダプターを装着でき、したがって、加振アダプターで発生した振動をマスカラ塗布具に効果的に伝動して、マスカラ液をまつ毛に効果的に塗布できる、汎用性に優れたマスカラ塗布具用の加振アダプターを提供することにある。
本発明の目的は、マスカラ塗布具の振動方向や、振動強度を必要に応じて変更できるようにして、まつ毛の生えている位置の違いに応じて、マスカラ液のまつ毛への塗布をより効果的に行なえるマスカラ塗布具用の加振アダプターを提供することにある。
【課題を解決するための手段】
【００１０】
本発明に係る加振アダプターは、摘み部４に固定した軸体５の突端にアプリケーター６が設けてあるマスカラ塗布具２を適用対象としており、本体部１１と、本体部１１に設けられる取付構造と、本体部１１に装着されて振動を発生する加振構造とを備えている。加振構造は、電源部１２と、電源部１２から送給される電流で振動を発生する振動発生手段１４と、振動発生手段１４の通電状態を切り換えるスイッチ１６とを備えている。本体部１１が、取付構造を介して摘み部４の外面に着脱可能に固定してあることを特徴する。
【００１１】
取付構造は、マスカラ塗布具２の摘み部４の周面に係合する連結部２３を備えている。連結部２３の内面の抱持面２４に、摘み部４の形状に適合して変形して、本体部１１を摘み部４の外面に固定する連結調整体２５（図１参照）を設ける。
【００１２】
連結調整体２５は弾性変形可能な弾性体で構成する。
【００１３】
連結調整体２５はリング状ないし筒状に形成する。
【００１４】
取付構造は、マスカラ塗布具２の摘み部４の外面に固定される連結部２３を備えている。連結部２３は、摘み部４の対向周面を挟み保持する一対の挟持アーム３３・３４を備えている。両挟持アーム３３・３４の少なくとも一方が摘み部４の構造および形状に適合して姿勢変更して、本体部１１を摘み部４の外面に固定する（図８および図１４参照）。
【００１５】
両挟持アーム３３・３４の少なくとも一方を、本体部１１に揺動開閉可能に軸支し、挟持ばね３６で閉じ勝手に付勢する。両挟持アーム３３・３４で摘み部４を挟持して、本体部１１が摘み部４に固定する。
【００１６】
本体部１１に固定側挟持アーム３３を設け、可動側挟持アーム３４を固定側挟持アーム３３に対して接離可能に設ける。本体部１１および固定側の挟持アーム３３と可動側の挟持アームとの間に、可動側の挟持アーム３４を接離操作する挟持ねじ９３を配置する。両挟持アーム３３・３４で摘み部４を挟持して、本体部１１を摘み部４に固定する（図３７参照）。
【００１７】
取付構造は、マスカラ塗布具２の摘み部４の外面に固定される連結部２３を備えている。連結部２３は、摘み部４に外嵌する支持筒５１と、支持筒５１の内面の抱持面２４に設けられる連結調整体２５とを含む。連結調整体２５を摘み部４の形状に適合して変形させて、本体部１１を摘み部４の外面に固定する（図２１参照）。
【００１８】
取付構造は、マスカラ塗布具２の摘み部４の外面に固定される連結部２３を備えている。連結部２３は、摘み部４に固定される第１連結体５７と、本体部１１に固定されて第１連結体５７に対して着脱される第２連結体５８とで構成する。第１連結体５７と第２連結体５８とは、雌雄一対の面ファスナーで構成する（図２３参照）。
【００１９】
取付構造は、マスカラ塗布具２の摘み部４の外面に固定される連結部２３を備えている。連結部２３は、摘み部４の周面を受け止める連結枠６４と、連結枠６４にねじ込み装着される挟持ねじ６５とで構成する。本体部１１は、連結枠６４と挟持ねじ６５のいずれかに固定する。連結枠６４と挟持ねじ６５とで摘み部４を挟持して、本体部１１を摘み部４と一体化する（図２６参照）。
【００２０】
取付構造は、マスカラ塗布具２の摘み部４の外面に固定される連結部２３を備えている。連結部２３は、一端が本体部１１に固定される弾性変形可能なクリップ７３で形成する。内面に雌ねじ７が形成してある摘み部４の筒壁７５にクリップ７３を係合して、本体部１１が摘み部４と一体化する（図３０参照）。
【００２１】
軸体５に外接する伝動片７６をクリップ７３と一体に設ける。本体部１１で生成した振動を伝動片７６を介して軸体５に伝動する（図３１参照）。
【００２２】
取付構造は、マスカラ塗布具２の摘み部４の外面に固定される連結部２３を備えている。連結部２３は、一端が本体部１１に固定してある渦巻状の弾性変形可能な巻掛体７８で形成する。巻掛体７８は、金属ばねからなる芯材７９と、芯材７９の外面を被覆する保護層８０とで構成する（図３２参照）。
【００２３】
取付構造は、マスカラ塗布具２の摘み部４の外面に固定される連結部２３を備えている。連結部２３は、それぞれ一端が本体部１１に固定されて、摘み部４の周面に巻き付け可能な帯状の第１・第２の連結体５７・５８で構成する。両連結体５７・５８の重合部分に、巻き付け姿勢を保持する重合部固定構造を設ける（図３３参照）。
【００２４】
重合部固定構造は、雌雄一対の面ファスナー８１．８２で構成する（図３３参照）。
【００２５】
重合部固定構造は、第１・第２の連結体５７・５８の一方の連結体５７に開口される複数の連結穴８５と、他方の連結体５８に設けられる連結突起８４とで構成する（図３４参照）。
【００２６】
取付構造は、マスカラ塗布具２の摘み部４の外面に固定される連結部２３を備えている。連結部２３は、一端が本体部１１に固定されて、摘み部４の周面に巻き付け可能な帯状体８７で構成する。摘み部４の周面に巻き付けた帯状体８７の遊端を、本体部１１に設けた巻締具８８で巻き締めて、本体部１１を摘み部４の周面に固定する（図３５参照）。
【００２７】
取付構造は、マスカラ塗布具２の摘み部４の外面に固定される連結部２３を備えている。連結部２３は、一端が本体部１１に固定されて、摘み部４の周面に巻き付け可能な帯状体８７で構成する。帯状体８７は、本体部１１に設けた反転枠９１で反転案内されて、摘み部４の周面に巻き付けた帯状体８７の外面に重合する。帯状体８７の重合部分を着脱可能なファスナー８１・８２で固定する（図３６参照）。
【００２８】
取付構造は、指輪状の連結部２３を備えている。連結部２３の外周面に、マスカラ塗布具２の摘み部４の外面に外接する伝動部９５を設ける（図３８参照）。
【００２９】
伝動部９５に隣接してスイッチ１６を配置する（図４０参照）。
【００３０】
取付構造は、マスカラ塗布具２の摘み部４の外面に固定される連結部２３を備えている。連結部２３は、弾性変形可能なリング枠７０で形成する。摘み部４の周面に外嵌したリング枠７０の弾性係合力で、本体部１１を摘み部４と一体化する（図２７参照）。
【００３１】
取付構造は、マスカラ塗布具２の摘み部４の外面に固定される連結部２３を備えている。連結部２３は、摘み部４に外嵌固定される第１連結体５７と、第１連結体５７を往復スライド可能に支持する第２連結体５８とで構成する。第２連結体５８に本体部１１を設ける。第１連結体５７と第２連結体５８との間に、第１連結体５７を往復駆動する振動発生手段１４を配置する（図２５参照）。
【００３２】
内部に加振構造が配置してある本体部１１の高さ寸法Ｈ１を、取付構造の高さ寸法Ｈ２より小さく設定する（図３参照）。
【００３３】
本体部１１の上面および左右側面のいずれかにスイッチ１６を配置する。
【００３４】
本体部１１の上面にスイッチ１６を配置する。
【００３５】
本体部１１の左右側面のそれぞれに指受凹面３８を形成する（図１１参照）。
【００３６】
本体部１１の上面に指受部２０を形成する。
【００３７】
本体部１１は裁頭円錐台状に形成する。
【００３８】
本体部１１に、振動モーター１４と電池１２とを重さなる状態で組み込む。振動出力方向が、振動モーター１４と電池１２とが重畳する向きと直交する向きである場合の振動モーター１４を、取付構造から遠ざかる本体部１１に配置する。
【００３９】
本体部１１に、振動モーター１４と電池１２とを重さなる状態で組み込む。振動出力方向が、振動モーター１４と電池１２とが重畳する向きと同じ向きである場合の振動モーター１４を、取付構造に近接する本体部１１に配置する。
【００４０】
本体部１１にまつ毛を照明する光源１９を設ける。
【００４１】
本体部１１を連結部２３で第１使用姿勢と、第２使用姿勢とに姿勢変更可能に支持する。本体部１１を第１使用姿勢で摘み部４に装着した状態では、軸体５の中心軸と平行な方向の振動を出力でき、本体部１１を第２使用姿勢で摘み部４に装着した状態では、軸体５の中心軸と直交する方向の振動を出力できるようにする（図１８参照）。
【００４２】
本発明に係る加振アダプター用の充電器においては、加振アダプターの本体部１１および連結部２３に、２次電池１２と、振動モーター１４と、スイッチ１６と、受振コイル１０６と、整流回路とを設ける。充電器に設けた加振アダプター用の装填部１０４に、受振コイル１０６に対応する発振コイル１０５を設けて、非接触状態で充電できるようにする。
【発明の効果】
【００４３】
本発明においては、本体部１１と取付構造と加振構造などで加振アダプターを構成し、本体部１１を取付構造を介して、マスカラ塗布具２の摘み部４の外面に着脱可能に固定できるようにした。このように、加振アダプターで生成した振動でマスカラ塗布具２を振動させると、マスカラ液をまつ毛に効果的に塗布でき、したがってまつ毛の化粧を短時間で能率よく行なえる。また、マスカラ塗布具２とは別に設けた加振アダプターで振動を与えるので、マスカラ化粧具に加振構造を組み込む場合に比べて、マスカラ化粧具の全体コストが高くなるのを避けることができる。さらに、マスカラ液を使い切ったとしても、繰り返し加振アダプターを使用できるので、省エネルギー上の無駄を省くことができる。
【００４４】
連結部２３の内面の抱持面２４に連結調整体２５を設け、連結調整体２５が摘み部４の形状に適合して変形できるようにした加振アダプターによれば、形状や構造が多様に異なる摘み部４に対して本体部１１を摘み部４の外面に固定できる。したがって、摘み部４の形状や構造がメーカーによって異なっている場合にも、加振アダプターを確実に装着して、マスカラ液をまつ毛に効果的に塗布できる。
【００４５】
連結調整体２５を弾性変形可能な弾性体で構成すると、摘み部４の形状や構造の違いを連結調整体２５の弾性変形作用で吸収して、本体部１１を摘み部４に対して安定した状態で確実に固定できる。また、連結部２３で摘み部４を抱持し、あるいは連結部２３を摘み部４に差し込み操作するなど、ごく簡単な操作で加振アダプターを着脱できる。
【００４６】
連結調整体２５をリング状ないし筒状に形成すると、摘み部４の形状や構造の違いを連結調整体２５の弾性変形作用で吸収するときの、摘み部４と連結調整体２５との接触面積をより大きくして、加振アダプターを摘み部４に対してさらに強固に固定できる。また、本体部１１で生成した振動によって加振アダプターが遊動するのを確実に防止できる。さらに、連結部２３の構造を簡素化して、その分だけ加振アダプターの製造に要するコストを削減でき、構造が簡単であるので故障する余地がない利点もある。
【００４７】
連結部２３を構成する一対の挟持アーム３３・３４のうち、少なくとも一方を摘み部４の形状等に適合して姿勢変更させる取付構造によれば、姿勢変更できる側の挟持アーム３４が動く範囲内で、摘み部４を両挟持アーム３３・３４で挟み固定できる。したがって、摘み部４の構造や形状の違いに広く対応できる加振アダプターが得られる。
【００４８】
両挟持アーム３３・３４の少なくとも一方を本体部１１に揺動開閉可能に軸支し、挟持ばね３６で閉じ勝手に付勢すると、連結部２３の摘み部４に対する装着状態を挟持ばね３６で維持できる。したがって、加振アダプターを摘み部４に装着したのちは、両挟持アーム３３・３４の装着姿勢を保持し続ける必要がなく、化粧すべきまつ毛の位置の違いなどに応じて、使用者は加振アダプターや摘み部４の掴み位置を自由に変更でき、加振アダプターの使い勝手を向上できる。
【００４９】
固定側と可動側の両挟持アーム３３・３４を有し、可動側の挟持アーム３４を挟持ねじ９３で接離操作して、両挟持アーム３３・３４で摘み部４を挟持固定する加振アダプターによれば、摘み部４に固定した後の可動側の挟持アーム３４が、不用意に開閉するのを防止できる。したがって、使用途中に可動側の挟持アーム３４が開放して、加振アダプターが摘み部４から分離するのを防止できる。また、振動を受けて加振アダプターが摘み部４に沿ってずれ動くのを確実に防止できる。
【００５０】
摘み部４に外嵌する支持筒５１と、その内面に設けた連結調整体２５などで連結部２３を構成すると、加振アダプターを摘み部４の突端に外嵌する状態で装着できるので、加振アダプターが邪魔になるのを避けながら、摘み部４を従来どおり掴んでまつ毛の化粧を行なえる。
【００５１】
第１連結体５７と第２連結体５８を雌雄一対の面ファスナーで構成すると、各連結体５７・５８を摘み部４と本体部１１に固定しておくことにより、本体部１１を摘み部４に対してより簡単に着脱できる。また、本体部１１の取付位置や向きを、使用者の好みに応じて変更できる。まつ毛の化粧が終ったのちに、本体部１１を摘み部４から取り外して保管することにより、加振アダプターがまつ毛化粧具の収納の邪魔になるのを防止できる。
【００５２】
連結枠６４と挟持ねじ６５とで摘み部４を挟持して、本体部１１を摘み部４と一体化する加振アダプターによれば、摘み部４に固定した後の加振アダプターがずれ動いたり、摘み部４から分離するのを防止できる。したがって、使用途中に加振アダプターが摘み部４から抜け外れたり、振動を受けてずれ動くのを確実に防止できる。
【００５３】
弾性変形可能なクリップ７３で連結部２３を構成し、摘み部４の筒壁７５にクリップ７３を係合して本体部１１を摘み部４に固定すると、本体部１１以外の部分が摘み部４の外面に露出するのを防止できる。したがって、加振アダプターが邪魔になるのを抑止しながら、摘み部４を従来どおり掴んでまつ毛を化粧することができる。また、摘み部４のアプリケーター側の端部に加振アダプターを装着するので、振動の伝動ロスを減らしてアプリケーターを適正に振動することができる。さらに、容器本体１の出入口３に外嵌する筒壁を備えている摘み部４であれば、摘み部４の断面形状や構造とは無関係に加振アダプターを装着してマスカラ塗布具２を振動できる。
【００５４】
また、クリップ７３と一体に伝動片７６を設け、本体部１１で生成した振動を伝動片７６を介して軸体５に伝動すると、加振アダプターの振動を軸体５に直接伝動できるので、さらに効果的に振動を伝動できる。
【００５５】
渦巻状の弾性変形可能な巻掛体７８で連結部２３を構成すると、連結部２３の構造を簡素化してコストを削減でき、加振アダプターの製造に要するコストを節約できる。また、構造が簡単であるので故障する余地がない利点もある。金属ばねからなる芯材７９と、その外面を被覆する保護層８０とで巻掛体７８を構成するので、加振アダプターを摘み部４に着脱する場合などに、摘み部４の外面が芯材７９で傷付くこともない。
【００５６】
第１・第２の連結体５７・５８と、両連結体５７・５８の巻き付け姿勢を保持する重合部固定構造とで連結部２３を構成すると、両連結体５７・５８の長さの範囲内で、加振アダプターを形状や構造が異なる各種の摘み部４に装着できる。したがって、加振アダプターの汎用性をさらに拡大できる。
【００５７】
雌雄一対の面ファスナー８１．８２で重合部固定構造を構成すると、第１・第２の連結体５７・５８の固定位置を自由に変更できるので、軸方向に長い摘み部４の任意の位置に加振アダプターを確りと固定できる。また、本体部１１の一部を摘み部４の外面に直接外接した状態で加振アダプターを固定できるので、本体部１１で生成した振動をより的確に摘み部４に伝動できる。
【００５８】
複数の連結穴８５と連結突起８４とで重合部固定構造を構成すると、連結突起８４の連結穴８５に対する係合位置を選択して、第１・第２の連結体５７・５８の固定位置を自由に変更できる。したがって、軸方向に長い摘み部４の任意の位置に加振アダプターを確りと固定できる。また、上記の連結分２３と同様に、本体部１１の一部を摘み部４の外面に直接外接した状態で加振アダプターを固定して、本体部１１で生成した振動をより的確に摘み部４に伝動できる。
【００５９】
摘み部４の周面に巻き付けられる帯状体８７と、その遊端を巻き締める巻締具８８とで連結部２３を構成すると、巻締具８８を巻き締め、あるいは緩めるだけで、摘み部４に巻き付けた帯状体８７を緊張させ、あるいは弛緩させることができる。したがって、加振アダプターの摘み部４に対する着脱操作をより簡便に行なえる。加振アダプターを摘み部４に装着した状態においては、帯状体８７が摘み部４の外面に露出するだけであるので、マスカラ塗布具２を使用するときに、連結部２３が邪魔になるのを防止できる。
【００６０】
摘み部４の周面に巻き付けられる帯状体８７を反転枠９１で反転案内したのち、ファスナー８１・８２を介して帯状体８７の外面に固定する連結部２３によれば、反転端側を引き絞ることにより帯状体８７を緊張させて、加振アダプターを摘み部４の任意の位置に強固に固定できる。また、ファスナー８１・８２を分離して帯状体８７を緩めることができる。帯状体８７を巻締具８８で巻き締める上記の加振アダプターと同様に、加振アダプターを摘み部４に装着した状態では、帯状体８７が摘み部４の外面に露出するだけであるので、マスカラ塗布具２を使用するときに、連結部２３が邪魔になるのを防止できる。
【００６１】
指輪状の連結部２３の外周面に、マスカラ塗布具２の摘み部４の外面に外接する伝動部９５を設ける加振アダプターによれば、摘み部４の形状や構造が特異すぎて加振アダプターを装着できないような場合でも、マスカラ塗布具２を振動させることができる。詳しくは、指輪状の連結部２３に指を通し、伝動部９５を摘み部４の外面に押し付けることにより、加振アダプターの振動を摘み部４に伝動してマスカラ塗布具２を振動させることができる。したがって、特殊な摘み部４を備えているマスカラ化粧具であっても、マスカラ塗布具２を加振アダプターで駆動して、マスカラ液をまつ毛に効果的に塗布できる。
【００６２】
また、スイッチ１６が伝動部９５に隣接して配置してあると、伝動部９５を摘み部４の外面に押し付ける動作を利用してスイッチ１６をオン状態に維持し、あるいはオフ状態に戻すことができるので、加振アダプターの使い勝手を向上できる。
【００６３】
弾性変形可能なリング枠７０で連結部２３を構成し、摘み部４の周面に外嵌したリング枠７０の弾性係合力で装着状態を維持する加振アダプターによれば、連結部２３の構造を簡素化して、その分だけ加振アダプターの製造に要するコストを削減できる。また、構造が簡単であるので故障する余地がない利点もある。
【００６４】
摘み部４に固定される第１連結体５７を、第２連結体５８で往復スライド可能に支持し、両連結体５７・５８の間に第１連結体５７を往復駆動する振動発生手段１４を配置すると、摘み部４の全体を軸体５の中心軸に沿って直接駆動できる。このように、摘み部４を直接駆動する加振アダプターによれば、例えば振動モーターで生成した振動を摘み部４に伝動する場合に比べて、伝動ロスを伴なうこともなく効率よく摘み部４を振動させて、マスカラ液をまつ毛に効果的に塗布できる。結果、まつ毛の化粧をさらに短時間で能率よく行なえる。
【００６５】
内部に加振構造が配置してある本体部１１の高さ寸法Ｈ１を、取付構造の高さ寸法Ｈ２より小さく設定すると、加振アダプターを摘み部４に装着した状態において、本体部１１が摘み部４から大きく突出するのを抑止して、加振アダプターの全体をコンパクトにまとめることができる。
【００６６】
本体部１１の上面および左右側面のいずれかにスイッチ１６を配置すると、加振アダプターと摘み部４を片手で持った状態において、スイッチ１６の位置や状態を目視によって簡便に確認でき、したがって、スイッチ１６の操作を常に的確に行なえる。
【００６７】
とくに、本体部１１の上面にスイッチ１６が配置してある場合には、例えば親指と中指とで加振アダプターと摘み部４を保持した状態で、人差し指によってスイッチ１６を操作できるので、スイッチ１６のオン操作やオフ操作をさらにより確実に行なえる。また、スイッチ１６が常開型のスイッチである場合には、使用時にスイッチ１６をオン位置に位置保持する必要があるが、この位置保持動作を人差し指で的確に行なえる。しかも、親指および中指と協同して加振アダプターを保持する力を利用しながら、スイッチ１６をオン位置に位置保持できる。
【００６８】
本体部１１の左右側面のそれぞれに指受凹面３８を形成する加振アダプターによれば、親指や中指による加振アダプターの保持位置を指受凹面３８に固定して、振動している加振アダプターを確りと掴むことができる。したがって、ブラシ６でまつ毛を梳く時の繊細な動作や位置調整などを好適に行なえる。
【００６９】
本体部１１の上面に指受部２０を形成すると、上面と左右側面の３個所を、親指と人差し指と中指とでバランスよく掴んだ状態で加振アダプターを保持して、マスカラ液を塗布できる。また、指受部２０が湾曲凹面状に形成してある場合には、その凹み中央部分にスイッチ１６を設けておくことにより、指受部２０の周縁部でスイッチ１６の周囲を囲んで保護でき、スイッチ１６が不用意に操作されるのを防止できる。
【００７０】
本体部１１を裁頭円錐台状に形成すると、加振アダプターの全体の外観を指輪状に構成して、あたかも装飾品のような形状および印象にまとめることができ、デザイン性を向上できる。また、摘み部４の外面で本体部１１が占める面積をできるだけ小さくできるので、加振アダプターと摘み部４を親指と人差し指と中指とで保持した状態において、加振アダプターが邪魔になるのを防いで使い勝手を向上できる。
【００７１】
本体部１１に、振動モーター１４と電池１２とを重さなる状態で組み込んである加振アダプターにおいて、振動出力方向が、振動モーター１４と電池１２とが重畳する向きと直交する向きである場合の振動モーター１４を、取付構造から遠ざかる本体部１１に配置すると、より大きな振動モーメントを摘み部４に伝動できる。振動モーター１４の配置位置が高い位置にあるほど、モーメントアームを大きくして摘み部４に伝動される振動モーメントを大きくできるからである。
【００７２】
本体部１１に、振動モーター１４と電池１２とを重さなる状態で組み込んである加振アダプターにおいて、振動出力方向が、振動モーター１４と電池１２とが重畳する向きと同じ向きである場合の振動モーター１４を、取付構造に近接する本体部１１に配置すると、振動モーター１４で生成した上下振動を、効果的に摘み部４に伝動できる。振動モーター１４を本体部１１と摘み部４の連結部分に近接配置するので、伝動ロスを極力抑えた状態で振動を摘み部４側へ伝動できるからである。
【００７３】
本体部１１に光源１９を設けると、照明が不十分な状況でまつ毛の化粧を行なう場合であっても、光源１９でまつ毛を照射して、マスカラ液の塗布状況を確認しながら的確にまつ毛の化粧を行なえる。
【００７４】
本体部１１を第１使用姿勢と第２使用姿勢とに姿勢変更可能にし、各姿勢における振動の方向を軸体５の中心軸に対して平行な方向と、直交する方向とに変更できる加振アダプターによれば、まつ毛の生えている位置の違いに応じて、振動の向きを変更して、マスカラ液のまつ毛への塗布をより効果的に行なうことができる。
【００７５】
加振アダプターを充電器の装填部１０４に装填し、装填部１０４の側に設けた発振コイル１０５と、加振アダプターの側に設けた受振コイル１０６との間で、充電電流を供給できるようにすると、加振アダプターの２次電池１２に対する充電を非接触状態で行なえる。したがって、使用後の加振アダプターを充電器の装填部１０４に装填し収納しておくことにより、２次電池１２を適正な状態に充電して、加振アダプターを常に使用可能な状態に維持することができる。
【００７６】
以上のように、本発明の加振アダプターによれば、形状や構造が多様に異なるマスカラ塗布具に対して加振アダプターを装着して汎用性を向上できる。また、加振アダプターで発生した振動をマスカラ塗布具に効果的に伝動して、マスカラ液をまつ毛に効果的に塗布できる。
【図面の簡単な説明】
【００７７】
【図１】加振アダプターの縦断側面図である。
【図２】マスカラ塗布具と加振アダプターの関係構造を示す側面図である。
【図３】加振アダプターの使用例を示す正面図である。
【図４】別の実施例に係る加振アダプターの正面図である。
【図５】さらに別の実施例に係る加振アダプターの正面図である。
【図６】さらに別の実施例に係る加振アダプターの正面図である。
【図７】さらに別の実施例に係る加振アダプターの正面図である。
【図８】さらに別の実施例に係る加振アダプターの正面図である。
【図９】さらに別の実施例に係る加振アダプターの正面図である。
【図１０】さらに別の実施例に係る加振アダプターの正面図である。
【図１１】さらに別の実施例に係る加振アダプターの正面図である。
【図１２】さらに別の実施例に係る加振アダプターの側面図である。
【図１３】さらに別の実施例に係る加振アダプターの側面図である。
【図１４】さらに別の実施例に係る加振アダプターの正面図である。
【図１５】さらに別の実施例に係る加振アダプターの一部を破断した側面図である。
【図１６】さらに別の実施例に係る加振アダプターの一部を破断した側面図である。
【図１７】さらに別の実施例に係る加振アダプターの側面図である。
【図１８】図１７に係る加振アダプターの使用説明図であえる。
【図１９】さらに別の実施例に係る加振アダプターの正面図である。
【図２０】さらに別の実施例に係る加振アダプターの正面図である。
【図２１】さらに別の実施例に係る加振アダプターの一部を破断した側面図である。
【図２２】さらに別の実施例に係る加振アダプターの一部を破断した側面図である。
【図２３】さらに別の実施例に係る加振アダプターの側面図である。
【図２４】さらに別の実施例に係る加振アダプターの側面図である。
【図２５】さらに別の実施例に係る加振アダプターの原理説明図である。
【図２６】さらに別の実施例に係る加振アダプターの正面図である。
【図２７】さらに別の実施例に係る加振アダプターの正面図である。
【図２８】さらに別の実施例に係る加振アダプターの側面図である。
【図２９】さらに別の実施例に係る加振アダプターの側面図である。
【図３０】さらに別の実施例に係る加振アダプターの一部を破断した側面図である。
【図３１】さらに別の実施例に係る加振アダプターの一部を破断した側面図である。
【図３２】さらに別の実施例に係る加振アダプターの一部を破断した正面図である。
【図３３】さらに別の実施例に係る加振アダプターの正面図である。
【図３４】さらに別の実施例に係る加振アダプターの一部を破断した正面図である。
【図３５】さらに別の実施例に係る加振アダプターの一部を破断した正面図である。
【図３６】さらに別の実施例に係る加振アダプターの一部を破断した正面図である。
【図３７】さらに別の実施例に係る加振アダプターの正面図である。
【図３８】加振アダプターの別の使用例を示す側面図である。
【図３９】図３８における加振アダプターの伝動構造を示す要部の正面図である。
【図４０】さらに別の実施例に係る加振アダプターの正面図である。
【図４１】さらに別の実施例に係る加振アダプターの一部を破断した側面図である。
【図４２】さらに別の実施例に係る加振アダプターの一部を破断した側面図である。
【図４３】加振アダプター用の充電器を示す縦断面図である。
【発明を実施するための形態】
【００７８】
（実施例）  図１ないし図３は本発明に係る加振アダプターの実施例を示す。本発明における加振アダプターは、図２および図３（ａ）に示す交差矢印と前後、左右、上下の表記に従って前後・左右・上下を特定する。図２において符号１は、マスカラ液を収容する容器本体、符号２はマスカラ塗布具である。マスカラ塗布具２は、容器本体１の出入口３に着脱される摘み部４と、一端が摘み部４に固定される丸棒状の軸体５と、軸体５の突端に固定されるブラシ（アプリケーター）６とで構成してある。摘み部４は丸軸状に形成してあり、軸体５が固定される筒壁の内面に雌ねじ７が形成してある。ブラシ６および軸体５を出入口３から容器本体１の内部に差し込み、雌ねじ７を出入口３の周面に設けた雄ねじ８にねじ込むことにより、摘み部４で出入口３を閉鎖できる。図示していないが、出入口３の内部には、余分なマスカラ液をしごき取るしごき片が設けてある。
【００７９】
マスカラ塗布具２を振動させて、マスカラ液をまつ毛に効果的に塗布するために、加振アダプターを使用する。図１に示すように、加振アダプターは、本体部１１と、本体部１１と一体に形成される取付構造と、本体部１１の内部に配置されて振動を発生する加振構造とからなる。本体部１１は裁頭円錐台状の外観を呈しており、その内部に２個のボタン電池（電池＝電源部）１２を収容する電池室１３と、振動モーター（振動発生手段）１４を収容するモーター室１５と、モーター起動用のスイッチ１６を収容するスイッチ室１７とが下側から順に形成してある。電池室１３の前壁には投光窓１８を開口して、その内部にＬＥＤ（光源）１９を収容している。本体部１１の外側面の型部分には指受凹面３８を形成した。
【００８０】
図示していないが、各室１３・１５・１７のいずれかには、制御基板を収容することができる。この実施例における加振構造は、上記のボタン電池１２と、振動モーター１４と、スイッチ１６とで構成してある。本体部１１の上面には、下向きに凹む湾曲面からなる指受部２０が設けてあり、先のスイッチ１６は指受部２０の外面に臨む状態で設けてある。
【００８１】
取付構造は、摘み部４の周面に係合する連結部２３を備えており、連結部２３は本体部１１の下部に連続してＣ形リング状に形成してある。連結部２３の内面には、摘み部４の外直径寸法より径寸法が僅かに大きな抱持面２４が設けてあり、この抱持面２４の内面に断面がＣ字状のリング体（連結調整体）２５を固定する。リング体２５は、ゴム、発泡ゴム、および弾性に富む発泡樹脂などで形成する。図３（ａ）に想像線で示すように、自由状態時のリング体２５の内径寸法は、摘み部４の外直径寸法より小さく設定してあり、連結部２３を摘み部４の端部から差し込んだ状態において、リング体２５の内面が拡径状に弾性変形して摘み部４を抱持し、本体部１１を摘み部４に固定できる。本体部１１および連結部２３は、前後に２分割した前後ケースを蓋合わせ状に接合して構成してある。
【００８２】
図３（ａ）に示すように、振動モーター１４は、そのローター１４ａに偏心ウェイト１４ｂが設けてある、市販品の扁平型の振動モーターからなる。この振動モーター１４は、モーター中心軸の周囲全方向に振動を発生するが、マスカラ塗布具２の軸体５は、先の振動軸と平行な成分を含んでいるので、ブラシ６を軸体５の中心軸に沿って前後に往復振動できる。換言すると、振動モーター１４の振動出力方向は、振動モーター１４と電池１２とが重畳する向きと直交する向きとなる。この振動方向を図２に矢印Ｍで示している。振動モーター１４で生成される振動の振動数は２１７Ｈｚ、振幅は１．５ｍｍである。消耗したボタン電池１２は、本体部１１を左右に分解して交換できる。
【００８３】
上記のように、本体部１１に振動モーター１４と電池１２とを上下に重さなる状態で組み込む場合には、上記の振動出力方向を備えた振動モーター１４を、電池１２より上側で、取付構造から遠ざかる本体部１１の内部上端寄りに配置すると、より大きな振動モーメントを摘み部４に伝動できる。振動モーター１４の配置位置が高い位置にあるほど、摘み部４に伝動される振動モーメントを大きくできるからである。なお、この場合のモーメントアームは、摘み部４の上面から振動モーター１４までの高さであり、このモーメントアームが大きいほど振動モーメントを大きくできる。
【００８４】
スイッチ１６は、模造宝石状に形成される押しボタン２７と、押しボタン２７を指受部２１の上面上方へ向かって進出付勢するスイッチばね２８と、押しボタン２７でオン操作される常開型のスイッチユニット２９などで構成してある。スイッチばね２８の付勢力に逆らって押しボタン２７を押し込み操作すると、スイッチユニット２９がオン状態に切り換わって振動モーター１４を起動でき、同時にＬＥＤ１９を点灯できる。指先を押しボタン２７から離すと、スイッチユニット２９はオフ状態に復帰する。
【００８５】
図３（ａ）に示すように、本体部１１の高さ寸法Ｈ１は、取付構造の高さ寸法Ｈ２より小さく設定してある。このように、Ｈ１＜Ｈ２とすることにより、加振アダプターを摘み部４に装着した状態において、本体部１１が摘み部４から大きく突出するのを抑止して、加振アダプターの全体をコンパクトにまとめることができる。また、先に説明したように、振動モーター１４を本体部１１の内部上端寄りに配置することにより、より大きな振動モーメントを摘み部４に作用させることができる。
【００８６】
加振アダプターは、以下の要領で使用する。図２に示すように、摘み部４の長手方向中途部に加振アダプターを装着した状態（以下、この装着形態を側面装着という。）で、ブラシ６に適量のマスカラ液を含浸させる。この状態の加振アダプターを、図３に示すように親指と中指とで連結部２３の下部両側を掴み、さらに指受部２０にあてがった人差し指の指先で押しボタン２７を押し込んで、振動モーター１４を起動する。振動モーター１４を駆動した状態のまま、ブラシ６でまつ毛を梳き流してマスカラ液をまつ毛に塗布する。以後、マスカラ液をブラシ６に補給しながら、同様にしてマスカラ液をまつ毛に塗布する。
ことにより、
【００８７】
先に説明したように、加振アダプターを側面装着した状態においては、ブラシ６を軸体５の中心軸に沿って前後に往復振動できる。したがって、マスカラ液をまつ毛に塗布するとき、ブラシ６を軸体５の中心軸に沿って高速度で振動させて、ブラシ６に付着したマスカラ液とまつ毛との接触機会を増加できるので、マスカラ液を効果的にまつ毛に塗布できる。また、使用者はブラシ６でまつ毛を梳き流すことに専念するだけで、マスカラ液をまつ毛に効果的に塗布できるので、まつ毛の化粧を短時間で能率よく行なえる。なお、上まぶた側のまつ毛にマスカラ液を塗布する場合には、ブラシ６を概ね水平にしてまつ毛を根元から毛先側へ梳くが、下まぶた側のまつ毛にマスカラ液を塗布する場合には、ブラシ６を概ね垂直にしてまつ毛を根元から毛先側へ梳く。
【００８８】
なお、図３（ａ）に例示したように、加振アダプターを親指と人差し指と中指で３点支持状に保持すると、連結部２３を摘み部４に押付けて、加振アダプターを摘み部４に確りと保持できる。後述する図８、図９、図１０および図１１の握り方においても同様に、加振アダプターを摘み部４に確りと保持できる。図１から図３の実施例におけるスイッチユニット２９は常開型のスイッチであるため、加振アダプターを３点支持して、人差し指で押しボタン２７を押し込み続けるようにしたが、その必要はない。スイッチ１６あるいはスイッチユニット２９が、１回の切換え操作でオン状態を維持できるオルタネイト型のスイッチである場合には、加振アダプターを３点支持状に保持する必要はなく、例えば図３（ｂ）に示すように、左右の指受凹面３８を親指と人差し指とで挟み保持し、中指で摘み部４の下面を支持することができる。このとき、指受凹面３８が凹んでいる分だけ加振アダプターが邪魔になるのを避けて、摘み部４をより安定した状態で摘み固定できる。また、スイッチ１６をオルタネイト型とする場合には、加振アダプターを支持する必要すらない。したがって、摘み部４の任意の位置を保持した状態で、より繊細な塗布操作の許にマスカラ液を的確に塗布できる。また、加振アダプターを握り締める必要がないので、摘み部４へ伝動される振動強度を大きくできる。上記の実施例における振動モーター１４は、本体部１１の上端外面に設けることができる。また、ＬＥＤ１９が本体部１１の前面以外の場所に配置することができる。
【００８９】
図４から図１３に、本発明に係る加振アダプターの別の実施例を示す。なお、以下の実施例では上記の実施例と異なる部分を主に説明し、上記の実施例と同じ部材には同じ符号を付してその説明を省略する。
【００９０】
図４に示す加振アダプターは、リング体２５の内面に山形の突起３１の一群を一定間隔おきに設ける点が先の実施例と異なる。このように、リング体２５に一群の突起３１を設けると、摘み部４に対して着脱するときのリング体２５の変形抵抗を小さくして、加振アダプターの着脱を速やかに行なうことができる。また、加振アダプターを摘み部４の周面に沿って回転操作するときのリング体２５の変形抵抗も小さくできる。
【００９１】
図５に示す加振アダプターは、連結部２３を無端リング状に形成して、リング体２５を円形に形成した。この構造のリング体２５は、図３や図４に示すリング体２５に比べて、摘み部４に対して着脱するときのリング体２５の変形抵抗が大きいので、本体部１１を摘み部４により安定した状態で強固に固定できる。変形抵抗をある程度抑止する場合には、発泡ゴムや弾性に富む発泡樹脂などの、変形抵抗がより小さな素材でリング体２５を形成するとよい。
【００９２】
図６に示す加振アダプターは、本体部１１を腕時計のボディ状に形成し、その中央部分に円形の抱持面２４を設けてリング体２５を円形に形成した。また、抱持面２４を間に挟む本体部１１の上下に、振動モーター１４とボタン電池１２を配置し、スイッチ１６を本体部１１の右側面に配置した。このように、振動モーター１４とボタン電池１２を、本体部１１の上下に分散配置すると、加振アダプターを摘み部４に装着した状態における、本体部１１の上方向または下方向への突出寸法を小さくして、加振アダプターの全体をコンパクトにまとめることができる。この実施例における本体部１１の上下両端には、平坦面からなる指受部２０が形成してあり、使用者が右利きであるか左利きであるかによって、加振アダプターの装着姿勢を選択することができる。
【００９３】
図７に示す加振アダプターは、図１から図３で説明した本体部１１に、市販品の振動モーター１４とボタン電池１２とを上下に重さなる状態で組み込むようにした。振動モーター１４は短軸状のモーター本体１４ｃと、その出力軸に固定した偏心ウェイト１４ｂとでピン型に構成してあり、モーター本体１４ｃの中心軸が水平になる状態で、ボタン電池１２より下側の本体部１１の内部下端寄りに配置した。このようにピン型の振動モーター１４を水平に配置すると、図７に符号Ｍで示すように、振動出力方向を振動モーター１４と電池１２とが重畳する向きと同じ向きにできる。また、本体部１１と摘み部４の連結部分に振動モーター１４を近接配置することにより、伝動ロスを極力抑えた状態で振動を摘み部４側へ伝動できる。したがって、加振アダプターの装着姿勢を摘み部４の回りで変更することにより、ブラシ６の振動方向を上下や左右などに変更することができる。振動モーター１４で生成される振動の振動数は１７０Ｈｚ、振幅は１．５ｍｍである。この実施例における振動モーター１４は、本体部１１の下端面に設けることができる。
【００９４】
図８に示す加振アダプターは、取付構造の連結部２３を、摘み部４の対向周面を挟み保持する一対の挟持アーム３３・３４で構成した。一方の挟持アーム３３は、本体部１１に連続して半円状の抱持面２４を備えた湾曲腕状に形成し、他方の挟持アーム３４は、四分円状の抱持面２４を備えた湾曲腕状に形成した。後者の挟持アーム３４は、本体部１１に固定したピン３５で左右方向へ揺動開閉可能に軸支されて、挟持ばね３６で閉じ勝手に付勢してある。この実施例におけるリング体２５は、固定側の挟持アーム３３の抱持面２４に固定される半円状の第１リング体２５ａと、可動側の挟持アーム３４の抱持面２４に固定される四分円状の第２リング体２５ｂとで構成してある。この実施例では、両挟持アーム３３・３４にリング体２５を設けて、連結部２３の滑り止め機能を向上したが、その必要はない。摘み部４の形状や構造の違いに応じて姿勢変化できる挟持アーム３４の場合には、挟持アーム３４自体が姿勢変化して摘み部４を保持固定できるからである。以下の実施例においても、同様のことが言える。
【００９５】
加振アダプターを使用する場合には、可動側の挟持アーム３４を挟持ばね３６に逆らって開放した状態で、連結部２３を摘み部４の周面径方向に差し込み、挟持アーム３４を挟持ばね３６で閉じ方向へ揺動させて、本体部１１を摘み部４に固定する。この加振アダプターは摘み部４の軸端から差し込む必要がないので、摘み部４に対する本体部１１の着脱を簡便かつ速やかに行なえる。また、摘み部４の直径が大小に異なり、あるいは断面形状が非円形である場合にも、可動側の挟持アーム３４が揺動できる範囲内で、摘み部４を両挟持アーム３３・３４で挟み保持して本体部１１を固定できる。換言すると、両挟持アーム３３・３４の少なくとも一方が摘み部４の構造および形状に適合して姿勢変更して、本体部１１を摘み部４の外面に固定できる。
【００９６】
図９に示す加振アダプターは、図８と同様に固定側の挟持アーム３３と可動側の挟持アーム３４で連結部２３を構成し、挟持アーム３４を挟持ばね３６で閉じ勝手に付勢した。また、両挟持アーム３３・３４の外側面に指受凹面３８を形成して、加振アダプターを安定した状態で摘み固定できるようにした。固定側の挟持アーム３３の指受凹面３８にスイッチ１６を配置して、親指または中指で押しボタン２７をオン操作できるようにした。
【００９７】
図１０に示す加振アダプターは、基本的に図３で説明したで説明した本体部１１の左側面の肩部にスイッチ１６を配置した。この場合の押しボタン２７は、肩部にあてがった人差し指でオン操作する。本体部１１の上端に設けられる指受部２０は平坦面で形成した。この実施例におけるスイッチ１６は、常開型のスイッチであるが、先に説明したようにスイッチ１６がオルタネイト型のスイッチである場合には、加振アダプターおよび摘み部４の握り方は図示した握り方である必要はなく、任意位置を自由に握ることができる。
【００９８】
図１１に示す加振アダプターは、基本的に図３で説明したで説明した本体部１１の左右側面の肩部を張り出して指受凹面３８を形成した。この場合の加振アダプターは、親指と人差し指を左右の指受凹面３８にあてがい、連結部２３の左側の腕部分の下部に中指をあてがう状態で摘み固定することにより、加振アダプターの全体を安定した状態で摘み固定できる。また、右側の指受凹面３８にスイッチ１６を配置して、親指で押しボタン２７をオン操作できるようにした。指受凹面３８は、必要に応じて肩部より下側の左右両側に凹み形成することができる。この実施例におけるスイッチ１６も常開型のスイッチであるが、オルタネイト型のスイッチ１６を用いる場合には、加振アダプターおよび摘み部４の握り方は図示した握り方である必要はなく、任意位置を自由に握ることができる。
【００９９】
図１２に示す加振アダプターは、電池ホルダー４０を本体部１１の電池室１３に対して後面側から出し入れできるようにした。電池ホルダー４０の内部には、２個のボタン電池１２を収容できる。このように電池ホルダー４０を本体部１１に出し入れできるようにすると、消耗したボタン電池１２の交換を簡便に行なえる。なお、図示していないが、電池ホルダー４０には給電用の接続端子が組み込んであり、電池ホルダー４０を電池室１３に差し込んだ状態において、先の接続端子が給電用の回路と接続できるようになっている。
【０１００】
図１３に示す加振アダプターは、本体部１１の前後寸法を、上記の各実施例で説明した本体部１１に比べて大きく設定して、振動モーター１４とボタン電池１２とを前後に隣接して配置するようにした。スイッチ１６は、本体部１１の上面の指受部２０に配置した。この加振アダプターによれば、摘み部４に装着した状態の本体部１１が摘み部４から大きく突出するのを解消して、加振アダプターの全体をコンパクトにまとめることができる。
【０１０１】
さらに、本発明に係る加振アダプターは、図１４ないし図４３に示す多様な形態で実施することができる。なお、図１４以下の実施例においても、各実施例と異なる部分を主に説明し、既に説明した実施例と同じ部材には同じ符号を付してその説明を省略する。
【０１０２】
図１４に示す加振アダプターは、連結部２３を、摘み部４の対向周面を挟み保持する一対の挟持アーム３３・３４で構成し、両挟持アーム３３・３４のそれぞれを、本体部１１に固定したピン３５で左右方向へ揺動開閉可能に軸支し、挟持ばね３６で閉じ勝手に付勢した。各両挟持アーム３３・３４は、実線で示す状態と、想像線で示す状態との間で揺動開閉できる、この加振アダプターは、一対の挟持アーム３３・３４のそれぞれを、揺動開閉可能として挟持ばね３６で閉じ付勢するので、図８で説明した加振アダプターに比べて、摘み部４の直径および断面形状の変化幅が大きい場合でも広く対応できる。また、摘み部４に装着した加振アダプターを、直径方向へ抜き取り操作するだけで両挟持アーム３３・３４を開放揺動させて、連結部２３を摘み部４から取り外すことができる。連結部２３は、摘み部４の軸方向と径方向のいずれの側からでも装着することができる。
【０１０３】
図１５に示す加振アダプターは、それぞれ樋体状に形成される一対の挟持アーム３３・３４で連結部２３をクリップ状に構成した。詳しくは、固定側の挟持アーム３３を本体部１１に連続して形成し、可動側の挟持アーム３４を左右一対の径方向のピン３５で上下方向へ揺動開閉可能に軸支して、挟持ばね３６で挟持アーム３３に接近する向きへ閉じ付勢した。後者の挟持アーム３４の揺動基端には、挟持アーム３４を挟持ばね３６に逆らって開放操作する操作レバー４２が一体に設けてある。
【０１０４】
加振アダプターは、摘み部４の突端部４ａを両挟持アーム３３・３４で上下から挟む状態で装着してあり、この装着状態において摘み部４の突端部４ａは本体部１１の内端面で受け止められている（以下、この装着形態を端面装着という。）。摘み部４に装着固定した加振アダプターは、符号Ｍで示すように上下方向、あるいは前後方向の振動を出力して、ブラシ６を振動させる。このように摘み部４の軸端に外嵌装着する形態の加振アダプターでは、スイッチ１６をオン・オフ切り換え可能なスイッチで構成して、スイッチ１６をオン状態に保持する。以下の同形態の加振アダプターにおいても同じである。
【０１０５】
上記の加振アダプターの振動モーター１４は、図１から図３で説明した加振アダプターの振動モーターと同じであり、その振動出力方向は振動モーター１４と電池１２とが重畳する向きと直交する向きとなる。しかし、加振アダプターを摘み部４に端面装着状態にして振動を加えるので、ブラシ６は軸体５の周囲の前後、あるいは上下へ振動する。このように、振動の出力方向が同じ加振アダプターであっても、その摘み部４に対する装着姿勢が異なると、ブラシ６に作用する振動の方向を異ならせることができる。
【０１０６】
図１６に示す加振アダプターは、図１５に示す加振アダプターと同様に、樋体状に形成される一対の挟持アーム３３・３４で連結部２３をクリップ状に構成して、加振アダプターを摘み部４に対して端面装着した。図１５に示す加振アダプターとは、可動側の挟持アーム３４を、摘み部４の左周面に配置した軸心方向のピン３５で揺動開閉可能に軸支して、挟持ばね３６で挟持アーム３３に接近する向きへ閉じ付勢する点が異なる。この場合には、両挟持アーム３３・３４の連結端のそれぞれに操作レバー４２・４２が一体に設けてある。
【０１０７】
図１７に示す加振アダプターは、リング状の連結部２３の上端にブラケット４３を固定し、ブラケット４３に固定した軸４４で本体部１１を第１使用姿勢と、第２使用姿勢とに姿勢変更可能に支持した。本体部１１は、断面が半円状のケースからなり、その内部にボタン電池１２と扁平型の振動モーター１４とを配置した。また、本体部１１の上面の指受部２０に、スイッチ１６と切換えスイッチ４５とを設けた。切換えスイッチ４５を切り換え操作することにより、本体部１１で生成される振動の強度を大小に切り換えて、まつ毛の位置や状態に応じてブラシ６の振動状態を変更することができる。切換えスイッチ４５に換えて可変抵抗の抵抗値を調整する調整ダイヤルを設けておけば、振動強度を無段階に変更できる。また、スイッチ１６をスライドスイッチとして構成して、例えば３段階に切り換え可能としておけば、オフ、オン（弱）、オン（強）のように振動強度を切り換えて、切換えスイッチ４５を省略することができる。
【０１０８】
図１８（ａ）に示すように、本体部１１を第１使用姿勢にして摘み部４に装着した状態では、指受部２０が水平になっており、振動モーター１４で出力される振動の方向は、矢印Ｍで示すように軸体５の中心軸と平行な方向となる。この状態の加振アダプターは、全体を概ね水平にした状態で、上まぶた側のまつ毛を化粧するのに適しており、その場合の切換えスイッチ４５は強側に切り換えておく。
【０１０９】
また、図１８（ｂ）に示すように、本体部１１を第２使用姿勢にして摘み部４に装着した状態では、指受部２０がブラシ６の側を指向しており、振動モーター１４で出力される振動の方向は、矢印Ｍで示すように軸体５の中心軸と直交する方向となる。この状態の加振アダプターは、全体を概ね垂直にした状態で、下まぶた側のまつ毛を化粧するのに適しており、その場合の切換えスイッチ４５は弱側に切り換えておく。
【０１１０】
以上のように、この実施例の加振アダプターは、取付構造に対する本体部１１の姿勢を変更してブラシ６の振動方向を変更することができ、しかもブラシに作用する振動強度を大小に変更して、まつ毛の化粧をより的確にしかも効果的に行なうことができる。なお、本体部１１の姿勢が振動で変わってしまうのを防ぐために、軸４４と本体部１１との間にロック構造を設け、あるいは摩擦付与体を設けることができる。
【０１１１】
図１９に示す加振アダプターは、本体部１１に固定側の挟持アーム３３を設け、可動側の挟持アーム３４を本体部１１で前記挟持アーム３３に対して接離可能に案内支持した。そのうえで、可動側の挟持アーム３４を挟持ばね３６で固定側の挟持アーム３３へ向かって接近付勢した。符号４７は可動側の挟持アーム３４を挟持ばね３６に逆らって開放スライド操作する操作ボタンである。この実施例から理解できるように、可動側の挟持アーム３４は開閉スライドできる構造であってもよい。
【０１１２】
図２０に示す加振アダプターの基本構造は、図１４で説明した加振アダプターと同じであるが、両挟持アーム３３・３３４の揺動基端のそれぞれに操作レバー４２を一体に設けて、両挟持アーム３３・３３４の開放操作をより簡便に行なえるようにした。
【０１１３】
図２１に示す加振アダプターは、摘み部４の突端部４ａに外嵌係合するキャップ状の支持筒５１と、支持筒５１の内面の抱持面２４に固定される円筒状のリング体（連結調整体）２５とで連結部２３を構成して、加振アダプターを摘み部４に端面装着した。支持筒５１は本体部１１に連続して一体に形成してある。この実施におけるリング体２５は、ゴム、発泡ゴム、および弾性に富む発泡樹脂などで形成する。自由状態時のリング体２５の内径寸法は、摘み部４の外直径寸法より小さく設定してあり、連結部２３を摘み部４の端部から差し込んだ状態において、リング体２５の内面が拡径状に弾性変形して摘み部４を抱持し、本体部１１を摘み部４に固定できる。固定状態における摘み部４の突端部４ａは、支持筒５１の内奥壁で受け止められている。
【０１１４】
図２２に示す加振アダプターは、図２１における連結部２３の構造を基本にして、支持筒の周方向一定間隔おきにスリット５３を形成して、各スリット５３の間に弾性変形可能な保持アーム５４を形成した。さらに各保持アーム５４の内面に弾性リブ（連結調整体）５５を固定した。弾性リブ５５は、上記のリング体２５と同様の素材で形成する。自由状態時の弾性リブ５５の内径寸法は、摘み部４の外直径寸法より小さく設定してあり、連結部２３を摘み部４の端部から差し込んだ状態において、弾性リブ５５、および保持アーム５４のそれぞれが拡径状に弾性変形して摘み部４を抱持し、本体部１１を摘み部４に固定できる。固定状態における摘み部４の突端部４ａは、支持筒５１の内奥壁で受け止められている。
【０１１５】
図２３に示す加振アダプターは、連結部２３を摘み部４の外面に固定される第１連結体５７と、本体部１１の下面に固定される第２連結体５８とで構成し、両連結体５７・５８を雌雄一対の面ファスナーで構成することにより、本体部１１を摘み部４に対して、側面装着状態で着脱できるようにした。摘み部４の外面には、ファスナー台５９を接着固定し、その平坦面５９ａに第１連結体５７を固定できるようにしている。このように、面ファスナーを連結要素とする連結部２３によれば、本体部１１の摘み部４に対する装着位置を垂直軸回りに自由に変更して、使用者の好みに応じた振動の向きや振動の強度を変更することができる。なお、本体部１１の下面に摘み部４の周面に沿う凹部を形成しておき、そこに第２連結体５８を固定すると、先のファスナー台５９を省略して、加振アダプターを摘み部４に固定できる。
【０１１６】
図２４に示す加振アダプターの連結部２３は、図２３の連結部２３と同様に、それぞれ面ファスナーで構成される第１連結体５７と第２連結体５８とで構成する。しかし、第１連結体５７を摘み部４の平坦な突端部４ａに固定して、本体部１１を摘み部４の突端部４ａに端面装着する点が図２３の連結部２３と異なる。
【０１１７】
図２５に示す加振アダプターは、上記の各実施例と加振構造が異なっている。そこでは、連結部２３を、摘み部４に装着される円筒状の第１連結体５７と、第１連結体５７を往復スライド可能に支持する円筒状の第２連結体５８とで構成して、第２連結体５８の突端に本体部１１を一体に設けた。第１連結体５７の内面には、円筒状のリング体２５が固定してあり、リング体２５がが弾性変形することで摘み部４を第１連結体５７と一体化できる。第１連結体５７は、第２連結体５８の開口部の内面に固定した止め輪６３で抜け外れ不能に止め付けてある。
【０１１８】
加振構造は、ボタン電池１２と、発振回路６０と、発振コイル（振動発生手段）１４と、スイッチ１６と、永久磁石６１などで構成する。発振コイル１４は第２連結体５８の内奥に配置してあり、永久磁石６１は発振コイル１４の鉄芯に対応して第１連結体５７の筒端に固定してある。ボタン電池１２から供給される直流電流は、発振回路６０で交番電流に変換されて発振コイル１４に印加される。これにより発振コイル１４の鉄芯の磁極は、その永久磁石６１との対向端がＮ極とＳ極とに交互に変化するので、交番電流の周波数に応じた振動を、永久磁石６１と第１連結体５７を介してマスカラ塗布具２に付与できる。発振コイル１４の鉄芯と永久磁石６１との間には、永久磁石６１が発振コイル１４に吸着されるときの衝突音の発生を防ぐ、発泡ゴム製の緩衝体６２が配置してある。スイッチ１６は、必要に応じて第２連結体５８の外面に臨んで設けることができる。切換えスイッチ４５を併用することにより、振動強度を複数段に、あるいは無段階に切り換えることができる。
【０１１９】
図２６に示す加振アダプターは、摘み部４の周面を受け止める連結枠６４と、連結枠６４にねじ込み装着される挟持ねじ６５とで連結部２３を構成し、挟持ねじ６５の上端に本体部１１を固定した。連結枠６４は断面がＤ形の筒体からなりその内底に、摘み部４を支持する受座６６が形成してある。挟持ねじ６５の下端には、ゴム製の押圧体６７が固定してある。この加振アダプターにおいては、連結枠６４と挟持ねじ６５とで摘み部４の対向周面を挟持して、本体部１１を摘み部４と一体化する。この実施例における本体部１１は、連結枠６４に固定することができ、その場合には挟持ねじ６５に、締緩操作用の操作部を設けるとよい。
【０１２０】
図２７に示す加振アダプターは、連結部２３を本体部１１と一体に設けた弾性変形可能なリング枠７０で構成した。リング枠７０はＣ字状のプラスチック成形品からなり、全体が弾性変形する状態で摘み部４の周面に係合装着される。装着状態におけるリング枠７０は、摘み部４の周面の２７０度前後を抱持している。リング枠７０の遊端には係合案内片７１が一体に形成してある。本体部１１はリング枠７０と別体に形成するが、リング枠７０と一体に成形することができる。
【０１２１】
図２８に示す加振アダプターの連結部２３は、図２７の連結部２３と同様に、本体部１１と一体に設けた弾性変形可能なリング枠７０で構成するが、リング枠７０の断面をΩ字状に形成して、その内面の抱持面２４にリング体２５を固定した。リング枠７０を摘み部２３に装着した状態において、摘み部４の突端部４ａは本体部１１の内端面で受け止められている。この場合の本体部１１は、図２７のリング枠と同様にリング枠７０と一体に、あるいは別体に成形することができる。
【０１２２】
図２９に示す加振アダプターの連結部２３は、本体部１１と一体に設けた弾性変形可能な上下一対のリング枠７０・７０で構成して、摘み部４を両リング枠７０で上下に挟持固定した。各リング枠７０の内面の抱持面２４には、リング体２５を固定した。連結部２３を摘み部２３に装着した状態においては、摘み部４の突端部４ａは本体部１１の内端面で受け止められている。この場合の本体部１１は、図２７のリング枠と同様にリング枠７０と一体に、あるいは別体に成形することができる。
【０１２３】
図３０に示す加振アダプターは、連結部２３を本体部１１の下面に固定した弾性変形可能なクリップ７３で形成した。クリップ７３はＵ字状の挟持体として構成してあり、その有端に係合案内片７４が一体に形成してある。クリップ７３は、摘み部４の雌ねじ７が形成してある筒壁７５に差し込み係合されて、本体部１１を摘み部４に固定する。本体部１１はクリップ７３と別体に形成するが、クリップ７３と一体に成形することができる。
【０１２４】
図３１に示す加振アダプターは、図３０の連結部２３と同様に、本体部１１の下面に固定した弾性変形可能なクリップ７３で連結部２３を形成し、その遊端を反転状に折り曲げて軸体５に外接する伝動片７６を一体に設けた。この実施例の加振アダプターによれば、本体部１１で生成された振動を伝動片７６を介して軸体５に直接伝動できるので、ブラシ６をより効果的に振動させることができる。この場合の本体部１１は、図３０のクリップと同様にクリップ７３と一体に、あるいは別体に成形することができる。
【０１２５】
図３２に示す加振アダプターは、連結部２３を一端が本体部１１に固定してある渦巻状の弾性変形可能な巻掛体７８で形成した。巻掛体７８は、板ばねを素材とする渦巻きばねからなる芯材７９と、芯材７９の外面を被覆するゴムまたはプラスチック製の保護層８０とで構成する。使用時には、巻掛体７８を拡開して摘み部４の周面に渦巻状に巻装し、その弾性力で本体部１１を摘み部４に固定する。
【０１２６】
図３３に示す加振アダプターは、それぞれ一端が本体部１１に固定されて、摘み部４の周面に巻き付けられる帯状の第１・第２の連結体５７・５８で連結部２３を構成する。両連結体５７・５８の重合部分には、巻き付け姿勢を保持する雌雄一対の面ファスナー（重合部固定構造）８１・８２が固定してある。使用時には、両連結体５７・５８を摘み部４の周面に巻き付けて、一対の面ファスナー８１・８２を止め付けることにより、本体部１１を摘み部４に固定できる。本体部１１を摘み部４に対してより安定した状態で固定するために、本体部１１の下面には接合座８３が凹み形成してある。この実施例における第１・第２の連結体５７・５８は、雌雄一対の面ファスナー８１・８２で兼ねることができる。
【０１２７】
図３４に示す加振アダプターは、図３３の連結部２３と同様に、摘み部４の周面に巻き付けられるプラスチック帯状の第１・第２の連結体５７・５８で連結部２３を構成する。両連結体５７・５８の重合部分には、複数個の連結突起８４と多数個の連結穴８５とが形成してあり、両者８４・８５を嵌係合することにより本体部１１を摘み部４に固定できる。連結穴８５は第１連結体５７の成形時に同時に形成され、連結突起８４は第２連結体５８の成形時に一体に形成される。この実施例における重合部固定構造は、連結突起８４と連結穴８５とで構成される。
【０１２８】
図３５に示す加振アダプターは、連結部２３を一端が本体部１１に固定されて摘み部４の周面に巻き付けられる帯状体８７と、帯状体８７の遊端を巻き込む巻締具８８とで構成した。巻締具８８は、巻き込み方向への回転を許すラチェット爪（図示していない）で受け止められており、解除ボタン８９を押し込み操作すると、ラチェット爪による回転規制作用を解除して、帯状体８７を巻締具８８から繰り出すことができる。帯状体８７を巻き込む巻締具８８で巻き込んで、接合座８３を摘み部４の周面に密着させることにより、本体部１１を摘み部４に固定できる。
【０１２９】
図３６に示す加振アダプターは、連結部２３を一端が本体部１１に固定される帯状体８７で構成する。帯状体８７は、摘み部４の周面に巻き付けたのち、本体部１１に設けた反転枠９１で反転案内されて、摘み部４の周面に巻き付けた帯状体８７の外面に、雌雄一対の面ファスナー８１・８２を介して重合固定する。面ファスナー８１・８２の換わりに、雌雄一対のスナップや、図３４で説明した連結突起８４と連結穴８５などのファスナーを適用することができる。
【０１３０】
図３７に示す加振アダプターの連結部２３は、図１９で説明した連結部２３と同様に、本体部１１に固定側の挟持アーム３３を設け、可動側の挟持アーム３４を本体部１１で前記挟持アーム３３に対して接離可能に案内支持した。本体部１１と可動側の挟持アーム３４との間には挟持ねじ９３が配置してあり、挟持ねじ９３をねじ込み操作することにより、挟持アーム３４を固定側の挟持アーム３３の側へ引き寄せて、両挟持アーム３３・３４で摘み部４を挟持し本体部１１を摘み部４に固定できる。
【０１３１】
図３８および図３９に示す加振アダプターは、図１から図３で説明した加振アダプターと同じであるが、その使用法が異なる。そこでは、指輪状の連結部２３の内部に人差し指を差し込んで、あたかも指輪を装着するのと同様に加振アダプターを人差し指に装着する。そのうえで、親指と中指とで摘み部４を摘み保持し、図３９に示すように、連結部２３の下端部分を摘み部４の周面に押し付ける。この使用形態は先に説明した側面装着に相当し、本体部１１で生成された振動は、連結部２３の下端の伝動部９５を介して摘み部４に伝動することができる。この使用法によれば、加振アダプターの伝動部９５を摘み部４の周面に押し付けるだけでブラシ６を振動させることができるので、摘み部４の形状や構造が特異すぎて加振アダプターを装着できないような場合でも、マスカラ塗布具２を振動させてマスカラ液をまつ毛に効果的に塗布できる。なお、この実施例におけるスイッチ１６は、オン・オフ切り換えが可能なオルタネイト型のスイッチからなり、例えば空いているほうの手でスイッチ１６の切り換えを行なう。
【０１３２】
図４０に示す加振アダプターは、基本的に図５で説明した加振アダプターと同じであるが、連結部２３の下端中央にスイッチ座９６を凹み形成して、スイッチ座９６に臨む状態でスイッチ１６を配置した。この場合のスイッチユニット２９は常開型スイッチを使用する。この実施例の加振アダプターは、図３８で説明した加振アダプターと同様に人差し指に装着し、スイッチ座９６の左右両端の伝動部９５を摘み部４の周面に押し付けて使用する。不使用時の押しボタン２７はスイッチ座９６から大きく突出しているが、伝動部９５を摘み部４の周面に押し付けた状態では、連結部２３内へ押し込まれてオン状態に切り換わる。したがって、スイッチ１６の切り換えを意識する必要もなく、加振アダプターを手軽に使用できる。
【０１３３】
図４１に示す加振アダプターは、基本構造を図５で説明した加振アダプターと同じにして、リング体２５の換わりに板ばね製の押え具９８を連結部２３に設けた。押え具９８は扁平なＷ字状に形成してあり、その両側端が本体部１１の下面に設けた掛止溝に装着してある。加振アダプターを摘み部４に装着した状態では、押え具９８が弾性変形して本体部１１を押し上げ付勢し、抱持面２４の内面下部を摘み部４に押し付け固定する。板ばね製の押え具９８は、それ自体が積極的に振動して摘み部４に対して振動を伝動できる。なお、この実施例における押え具９８は、先に説明した連結調整体２５の概念に含むこととする。
【０１３４】
図４２に示す加振アダプターは、基本構造を図２１で説明した加振アダプターと同じにして、リング体２５の換わりに板ばね製の押え具９８を筒状の支持筒５１の内面に設けて連結部２３とした。押え具９８は、上下一対の挟持腕９９を含んでコ字状に形成してあり、加振アダプターを摘み部４に装着した状態において、両挟持腕９９が弾性変形して摘み部４の周面上下を挟持固定している。この実施例における押え具９８は、図４１の押え具９８と同様に、それ自体が積極的に振動して摘み部４に対して振動を伝動できる。また、押え具９８は連結調整体２５の概念に含むこととする。
【０１３５】
図４３は加振アダプター用の充電器を示す。充電器は本体ケース１０１と、本体ケース１０１に対してヒンジ１０２を介して揺動開閉可能に連結してある蓋体１０３とを備えており、本体ケース１０１の内部に加振アダプター用の装填部１０４が設けてある。また、装填部１０４に臨んで発振コイル１０５が設けてある。加振アダプターは基本的に図１から図３で説明した加振アダプターと同じであるが、振動モーター１４やスイッチ１６以外に、本体部１１および連結部２３の内部に、２次電池（電池＝電源部）１２と、受振コイル１０６と、整流回路（図示していない）などが設けてある。加振アダプターを装填部１０４に装填した状態では、受振コイル１０６が発振コイル１０５とする。この状態で交番電流を受振コイル１０６に印加することにより、受振コイル１０６を介して充電電流が供給され、整流回路で直流電流に変換したのち２次電池１２に供給される。したがって、非接触状態で２次電池１２を充電できる。
【０１３６】
上記の実施例では、振動発生手段として扁平型やピン型の振動モーター１４を例示したがその必要はなく、例えば超音波モーター、ボイスコイルモーター、超音波振動子、バイブレーターなどを振動発生手段とすることができる。スイッチ１６は押しボタン型のスイッチ以外に、スライドスイッチや倒伏スイッチなどであってもよい。電源１２は電池である必要はなく、商用電源、あるいは同電源を整流して供給する電源であってもよい。アプリケーター６はブラシである必要はなく、ゴム成形品またはプラスチック成形品の表面に電気植毛を施した塗布体であってもよい。光源１９はＬＥＤである必要はなく、小型の電球であってもよい。また光源１９は、その照射方向を使用者が必要に応じて変更可能に構成することができる。
【符号の説明】
【０１３７】
２  マスカラ塗布具
４  摘み部
５  軸体
６  ブラシ
１１  本体部
１２  電源部（ボタン電池）
１４  振動発生手段（振動モーター）
１６  スイッチ
２３  連結部
２４  抱持面
２５  連結調整体（リング体）
【図１】
2010246854.tif 000003
【図２】
2010246854.tif 000004
【図３】
2010246854.tif 000005
【図４】
2010246854.tif 000006
【図５】
2010246854.tif 000007
【図６】
2010246854.tif 000008
【図７】
2010246854.tif 000009
【図８】
2010246854.tif 000010
【図９】
2010246854.tif 000011
【図１０】
2010246854.tif 000012
【図１１】
2010246854.tif 000013
【図１２】
2010246854.tif 000014
【図１３】
2010246854.tif 000015
【図１４】
2010246854.tif 000016
【図１５】
2010246854.tif 000017
【図１６】
2010246854.tif 000018
【図１７】
2010246854.tif 000019
【図１８】
2010246854.tif 000020
【図１９】
2010246854.tif 000021
【図２０】
2010246854.tif 000022
【図２１】
2010246854.tif 000023
【図２２】
2010246854.tif 000024
【図２３】
2010246854.tif 000025
【図２４】
2010246854.tif 000026
【図２５】
2010246854.tif 000027
【図２６】
2010246854.tif 000028
【図２７】
2010246854.tif 000029
【図２８】
2010246854.tif 000030
【図２９】
2010246854.tif 000031
【図３０】
2010246854.tif 000032
【図３１】
2010246854.tif 000033
【図３２】
2010246854.tif 000034
【図３３】
2010246854.tif 000035
【図３４】
2010246854.tif 000036
【図３５】
2010246854.tif 000037
【図３６】
2010246854.tif 000038
【図３７】
2010246854.tif 000039
【図３８】
2010246854.tif 000040
【図３９】
2010246854.tif 000041
【図４０】
2010246854.tif 000042
【図４１】
2010246854.tif 000043
【図４２】
2010246854.tif 000044
【図４３】
2010246854.tif 000045